(57)【要約】  コンダクタの複数のツイストペア（２６）を有する通信ケーブル（２２）及びツイストペア（２６）とケーブルジャケット（３３）との間の金属箔テープ（３４）の様々な実施形態が開示される。金属箔テープ（３４）は、金属箔テープ（３４）の金属層（３５）内で非連続領域（３８）を生じさせるカット（３７）を含む。金属箔テープ（３４）がケーブルコア（２３）の周りに覆われるとき、非連続領域（３８）は、少なくとも１つのオーバラップする領域を形成するようにオーバラップする。オーバラップする領域が小さく、金属箔テープ（３４）を通じて流れる電流を制限するようにカット（３７）が形成され、それによって、通信ケーブル（２２）内のエイリアンクロストークを最小化する。
2020525971.tif 000002
【特許請求の範囲】
【請求項１】
ジャケットと、
コンダクタの複数のツイストペアを含むケーブルコアと、
前記ケーブルコアと前記ジャケットとの間に配置された金属箔テープであって、前記金属箔テープは、前記金属箔テープの金属層内で非連続領域を生じさせるカットを含む、前記金属箔テープと、
を含み、
前記非連続領域がオーバラップして、少なくとも１つのオーバラップする領域を形成するように、前記金属箔テープが前記ケーブルコアの周りに覆われ、前記カットは、前記オーバラップする領域が最小化されるように位置付けられ、それによって、前記オーバラップする非連続領域の間のキャパシタンスを最小化する、
通信ケーブル。
【請求項２】
前記カットは、ストレートカットである、請求項１に記載の通信ケーブル。
【請求項３】
前記カットは、前記通信ケーブルの長さの方向に直交する方向における前記金属箔テープの１つの側面において開始し、前記金属箔テープ内の中間点の近くで角のあるカットに遷移する半角カットである、請求項１に記載の通信ケーブル。
【請求項４】
前記角のあるカットは、４度の角度である、請求項３に記載の通信ケーブル。
【請求項５】
前記カットは、４５度の角度において前記金属箔テープの１つの側面において開始し、前記金属箔テープ内の中間点の近くで４５度の角度に遷移する山型カットである、請求項１に記載の通信ケーブル。
【請求項６】
前記少なくとも１つのオーバラップする領域は、三角形のオーバラップする領域のペアである、請求項５に記載の通信ケーブル。
【請求項７】
前記カットは、４５度未満であり、０度よりも大きい角度において前記金属箔テープの１つの側面において開始し、前記金属箔テープ内の中間点の近くで４５度よりも大きく０度未満の角度に遷移する、請求項１に記載の通信ケーブル。
【請求項８】
前記少なくとも１つのオーバラップする領域は、三角形のオーバラップする領域のペアである、請求項７に記載の通信ケーブル。
【請求項９】
前記カットは、台形カットを形成する複数のカットであり、前記複数のカットは、前記金属箔テープの第１の端において開始し、反対の端において前記金属箔テープの２つ目に向かって分岐する第１及び第２のカットを含む、請求項１に記載の通信ケーブル。
【請求項１０】
前記少なくとも１つのオーバラップする領域は、平行四辺形の形状領域である、請求項９に記載の通信ケーブル。
【請求項１１】
通信ケーブルであって、
コンダクタの複数のツイストペアを含むケーブルコアと、
前記通信ケーブルの前記ケーブルコアとジャケットとの間に配置された金属箔テープであって、前記金属箔テープは、前記金属箔テープの金属層内で複数の非連続領域を生じさせる複数のカットを含む、前記金属箔テープと、
を含み、
前記非連続領域がオーバラップして、複数のオーバラップする領域を形成するように、前記金属箔テープが前記ケーブルコアの周りに覆われ、前記オーバラップする領域は、直列に接続されたキャパシタンスを生じさせ、それによって、前記オーバラップする非連続領域の間のキャパシタンス全体を減少させる、
前記通信ケーブル。
【請求項１２】
前記オーバラップする非連続領域の間の前記キャパシタンス全体は、２の倍数だけ減少される、請求項１１に記載の通信ケーブル。
【請求項１３】
前記複数のカットは、前記金属箔テープの１つの側面において開始する第１のストレートカット及び前記金属箔テープの第２の側面の近くで反対の角度において前記第１のストレートカットを分岐する２つのカットを有するＹ型カットを形成する、請求項１１に記載の通信ケーブル。
【請求項１４】
前記複数のオーバラップする領域は、三角形のオーバラップする領域である、請求項１３に記載の通信ケーブル。
【請求項１５】
前記第１のストレートカットを分岐する前記２つのカットは、４度及び−４度のそれぞれの角度を有する、請求項１３に記載の通信ケーブル。
【請求項１６】
前記複数のカットは、前記金属箔テープの幅にわたって相互に並列に通る２つのストレートカットである、請求項１１に記載の通信ケーブル。
【請求項１７】
前記複数のカットは、前記金属箔テープの１つの側面において開始し、第１及び第２のカットが前記金属箔テープの第２の側面に向かって前記金属箔テープの幅を横切るにつれて相互に交差する前記第１及び第２のカットを有するＸ型カットを形成する、請求項１１に記載の通信ケーブル。
【請求項１８】
前記複数のオーバラップする領域は、三角形の形状領域のペアである、請求項１７に記載の通信ケーブル。
【請求項１９】
通信ケーブルであって、
コンダクタの複数のツイストペアを含むケーブルコアと、
前記通信ケーブルの前記ケーブルコアとジャケットとの間に配置された金属箔テープであって、前記金属箔テープは、前記金属箔テープの金属層内で複数の非連続領域を生じさせるカットを含む、前記金属箔テープと、
を含み、
前記非連続領域がオーバラップして、複数のオーバラップする領域を形成するように、前記金属箔テープが前記ケーブルコアの周りに覆われ、前記オーバラップする領域は、並列に接続されたキャパシタンスを生じさせ、それによって、前記オーバラップする非連続領域の間の全体的なキャパシタンスを増大させる、
前記通信ケーブル。
【請求項２０】
前記カットは、山型または浅い山型カットである、請求項１９に記載の通信ケーブル。
【発明の詳細な説明】
【技術分野】
【０００１】
関連出願の相互参照
本出願は、その全体を参照することによってその主題が本明細書に組み込まれる、２０１７年６月２６日に出願された米国仮特許出願第６２／５２４，６６９号に対する優先権を主張する。
【背景技術】
【０００２】
ネットワークがより複雑になり、より高い帯域幅のケーブリングに対する必要性を有するにつれて、ロバスト且つ信頼できる通信システムを提供するために、ケーブルツーケーブルクロストーク（または、「エイリアンクロストーク」）の減衰がますます重要になる。エイリアンクロストークは主として、分散されたケーブルの近くを通る信号搬送ケーブルから起こる、分散されたケーブル内で発生することがある結合された電磁気ノイズであり、典型的には、エイリアンニアエンドクロストーク（ＡＮＥＸＴ）またはエイリアンファーエンドクロストーク（ＡＦＥＸＴ）として特徴付けられる。
【発明の概要】
【０００３】
コンダクタの複数のツイストペアを有する通信ケーブル及びツイストペアとケーブルジャケットとの間の金属箔テープの様々な実施形態が開示される。いくつかの実施形態では、金属箔テープは、金属箔テープの金属層内で非連続領域を生じさせるカットを含む。金属箔テープがケーブルコアの周りに覆われるとき、非連続領域は、少なくとも１つのオーバラップする領域を形成するようにオーバラップする。そのようなオーバラップする領域が小さく、金属箔テープを通じて流れる電流を制限するようにカットが形成され、それによって、通信ケーブル内のエイリアンクロストークを最小化する。
【図面の簡単な説明】
【０００４】
【図１】通信システムの斜視図の例示である。
【図２】通信ケーブルの断面図の例示である。
【図３】ペアセパレータの断面図の例示である。
【図４】非連続金属箔テープの斜視図の例示である。
【図５−１】Ａ〜Ｃは、非連続金属箔テープ内で生じることができる、非連続部の様々な例示的な幾何学形状及び構成の例示である。
【図５−２】Ｄ〜Ｆは、非連続金属箔テープ内で生じることができる、非連続部の様々な例示的な幾何学形状及び構成の例示である。
【図５−３】Ｇ〜Ｈは、非連続金属箔テープ内で生じることができる、非連続部の様々な例示的な幾何学形状及び構成の例示である。
【図６−１】Ａ〜Ｃは、非連続金属箔テープ内で生じることができる、非連続部の様々な例示的な幾何学形状及び構成の例示である。
【図６−２】Ｄ〜Ｆは、非連続金属箔テープ内で生じることができる、非連続部の様々な例示的な幾何学形状及び構成の例示である。
【図６−３】Ｇ〜Ｈは、非連続金属箔テープ内で生じることができる、非連続部の様々な例示的な幾何学形状及び構成の例示である。
【図７】図５Ａ〜５Ｈ及び６Ａ〜６Ｈに例示された非連続金属箔テープの例示的な幾何学形状及び構成についてのオーバラップキャパシタンスの例示である。
【図８】異なるコア径において図５Ａ〜５Ｈ及び６Ａ〜６Ｈに例示された非連続金属箔テープの例示的な幾何学形状及び構成についてのオーバラップキャパシタンスの例示である。
【図９】異なるコア径において図５Ａ〜５Ｈ及び６Ａ〜６Ｈに例示された非連続金属箔テープの例示的な幾何学形状及び構成についてのオーバラップキャパシタンスの例示である。
【発明を実施するための形態】
【０００５】
エイリアンクロストークを減衰させるために、連続または非連続金属箔テープがケーブルの内部コアの周りに覆われてもよい。非終端連続金属箔テープケーブルシステムは、望ましくない電磁気放射及び／または感度性問題を有することがある。非連続金属箔テープケーブルシステムは、電磁気放射及び／または感度性問題を著しく減少させる。
【０００６】
本明細書で開示される実施例は、ケーブルのジャケットと非遮蔽コンダクタペアとの間に位置付けられた非連続金属箔テープの様々な実施形態を含む通信ケーブルを説明する。ケーブルの長さを下回る金属箔テープ内の対象の波長において電流が定常波を生じさせることを防止するために、開示される金属箔テープにおいて非連続部が生じてもよい。非連続部がないと、金属箔テープは、非終端遮蔽ケーブルと同等であり、したがって、低下したＥＭＣ性能の影響を受ける。
【０００７】
ここで、添付図面への参照がなされる。可能な限り、同一または類似する部分を参照するために、同一の参照符号が図面及び以下の説明で使用される。しかしながら、図面は、例示及び説明のみを目的としていることが明確に理解されよう。本明細書においていくつかの実施例が説明されるが、修正、適合、及び他の実装態様が可能である。したがって、以下の詳細な説明は、開示される実施例を限定するものではない。代わりに、開示される実施例な適切な範囲は、添付の特許請求の範囲によって定義されることができる。
【０００８】
図１は、機器２４に接続された、少なくとも１つの通信ケーブル２２を含む通信システム２０の斜視図である。機器２４は、図１においてパッチパネルとして例示されるが、機器は、受動的機器または能動的機器とすることができる。受動的機器の例は、モジュール式パッチパネル、パンチダウンパッチパネル、カプラパッチパネル、ウォールジャックなどとすることができるが、それらに限定されない。能動的機器の例は、データセンタ／電気通信ルームにおいて見出すことができるようなイーサネット（登録商標）スイッチ、ルータ、サーバ、物理層管理システム、及びパワーオーバイーサネット機器、セキュリティデバイス（カメラと他のセンサなど）及びドアアクセス機器、並びにワークステーションエリアにおいて見出すことができるような電話、コンピュータ、ファックスマシン、プリンタ、及び他の周辺機器などとすることができるが、それらに限定されない。通信システム２０は更に、キャビネット、ラック、ケーブル管理及びオーバヘッドルーティングシステム、並びに他のそのような機器を含むことができる。
【０００９】
通信ケーブル２２は、非遮蔽ツイストペア（ＵＴＰ）ケーブル、更に具体的には、図２において更に具体的に示され、以下で更に詳細に説明されるような、１０Ｇｂ／ｓにおいて動作することができるカテゴリ６Ａケーブルの形式で示される。しかしながら、通信ケーブル２２は、様々な他のタイプの通信ケーブルと共に、他のタイプのケーブルであってもよい。ケーブル２２は、機器２４に直接終端されることができ、または代わりに、ＲＪ４５タイプ、ジャックモジュールカセット、及び多くの他のコネクタタイプ、またはそれらの組み合わせなどの様々なプラグ２５またはジャックモジュール２７において終端されることができる。更に、ケーブル２２は、ケーブルの織または束に加工されることができ、加えて、事前終端された織に加工されることができる。
【００１０】
パッチコード、バックボーンケーブリング、及び水平ケーブリングを含む様々な構造化されたケーブリングの適用において通信ケーブル２２が使用されることができるが、本発明は、そのような適用に限定されない。概して、軍事、産業、電気通信、コンピュータ、データ通信、及び他のケーブリングの適用において本発明が使用されることができる。
【００１１】
図２を参照して、図１における切断線２−２に沿って、ケーブル２２の横断面が示される。ケーブル２２は、ペアセパレータ２８により分離される４つのツイスト導線ペア２６を有する内部コア２３を含んでもよい。ペアセパレータ２８の断面は、図３において更に詳細に示される。ペアセパレータ２８は、ケーブルのストランディング長または撚線長による時計回りの回転（左側撚線）により形成されてもよい。撚線長の例は、３．２インチであってもよい。ペアセパレータ２８は、例えば、固体難燃剤ポリエチレン（ＦＲＰＥ）などのプラスチックから構成されることができる。
【００１２】
境界テープ３２の覆われ方は、内部コア２３を囲んでもよい。境界テープ３２は、内部コア２３の周りで螺旋状に巻き付けられることができ、または内部コア２３の周りで縦方向に覆われることができる。図２に示されるように、ツイストペアコンダクタは、内部コア２３の外径を生じさせるようにペアセパレータ２８を超えて延在してもよい。外径は、例えば、約０．２１６４インチであってもよく、外周は、０．６７９インチであってもよい。いくつかの実装態様では、境界テープ３２は、２倍よりもやや大きく内部コア２３の周りを覆ってもよく、境界テープ３２の２つの適用が存在してもよい。
【００１３】
金属箔テープ３４は、通信ケーブル２２の長さに沿ってケーブルジャケット３３の下で境界テープ３２の周りに縦方向に覆われてもよい。すなわち、金属箔テープ３４は、それが「たばこ」方式の覆われ方において通信ケーブル２２の長さの周りを覆うように、その長さに沿って覆われてもよい。図４に示されるように、金属箔テープ３４は、ポリマ薄膜支持層３６に付着された金属層３５（例えば、アルミニウム）を含んでもよい。いくつかの実装態様では、金属層３５は、接着剤によりポリマ層３６に付着されてもよい。金属箔テープ３４は、例えば、金属層３５の部分を切除するためにレーザが使用される後処理段階において、非連続部３７が金属層３５内で生じることができる点で、非連続金属箔テープであってもよい。
【００１４】
エイリアンクロストークの利点を最大化するために、金属箔テープ３４は、それが導線ペア２６の外周を完全に囲むようにコアの周りに覆われてもよく、通信ケーブル２２に完全に組み立てられるときに金属層３５のエッジがオーバラップするように境界テープ３２の周りに覆われてもよい。通信ケーブル２２のサイズ、金属箔テープ３４の幅、レーザ切除カットの幾何学形状（すなわち、非連続部３７）、及び金属箔テープ３７の適用の精度に応じて、オーバラップする領域は、隣接する非連続セグメント３８間の十分なキャパシタンスをもたらす２つの隣接する非連続セグメント３８の部分を含むことができる。隣接するセグメント３８の間のキャパシタンスが非常に高い場合、非連続セグメント３８のＥＭＣの利点を無効にする金属箔テープ３４のオーバラップする領域を通じて、高周波電流は、１つのセグメント３８から次のセグメントに実質的に妨げられずに流れることができる。
【００１５】
隣接するセグメント３８の間のキャパシタンスを減少させるために、金属箔テープ３４を通じて流れる電流がＣａｔ６Ａの適用に対して使用可能な帯域幅までの周波数（例えば、５００メガヘルツ）に対して妨げられるように、金属箔テープ３４は、通信ケーブル２２の周りに覆われるときに金属箔テープ３４のオーバラップする領域を制限するように設計されてもよい。いくつかの実装態様では、隣接するセグメント３８の間のキャパシタンスを約４ピコファラッド以下に制限するために、非連続部３７の様々な幾何学形状及び構成が使用されてもよい。
【００１６】
図５Ａ〜５Ｈ及び６Ａ〜５Ｈは、金属箔テープ３４内で生じることができる非連続部の様々な例示的な幾何学形状及び構成を例示する。図５Ａ〜５Ｈは、通信ケーブル２２に適用される前の平坦または覆われていない方位にある金属箔テープ３４を例示し、図６Ａ〜６Ｈは、通信ケーブル２２に適用され、または通信ケーブル２２の周りに覆われた後の金属箔テープ３４を例示する。
【００１７】
図５Ａ及び６Ａは、例示的なストレートカット３９を例示する。理想的には、ストレートカット３９は、通信ケーブル２２の方向に直交し、ストレートカット３９のエッジが相互にオーバラップし、金属箔テープ３４の隣接するセグメント３８の間のオーバラップキャパシタンスがゼロとなるように、テープは縦方向に覆われる。実際には、ジャケッティング工程の間、カットの精度及び金属箔テープ３４の適用と関連付けられた許容差が存在する。それらの許容差は、ケーブルコア２３の周りに縦方向に覆われるとき、ストレートカット３９のエッジが正しく位置合わせされないことを生じさせるオフセット角をもたらす。この正しく位置合わせされないことは、ケーブルコア２３の直径に対してオフセット角及び金属箔テープ３４の幅に比例したオーバラップするキャパシタンスを生じさせる。オーバラップする領域は、本質的には矩形であり、１度のオフセット角について図６Ａに例示される。
【００１８】
図５Ｂ及び６Ｂは、例示的な二重カット４０を例示する。二重カット４０は、理想的には通信ケーブル２２の方向に直交する２つの並列したカットを導入する。ストレートカット３９について上記説明された同一の製造許容差に起因して、オフセット角が導入され、２つ並列したカットのエッジは、ケーブルコア２３の周りに縦方向に覆われるときに正しく位置合わせされない。この正しく位置合わせされないことからのオーバラップするキャパシタンスは、ケーブルコア２３の直径に対してオフセット角及び金属箔テープ３４の幅に比例する。２つのレーザカットを組み込むことによって、追加の非連続セグメント３８が金属箔テープ３４に導入され、金属箔テープ３４がケーブルコア２３の周りに覆われるときに２つのオーバラップする領域が生じる。これは、キャパシタンスを２の倍数だけ減少させる正味の影響を有する、直列に接続された２つの実質的に同一のオーバラップするキャパシタンスを生じさせる。２つのオーバラップする領域は、本質的には矩形であり、１度のオフセット角について図６Ｂに例示される。
【００１９】
図５Ｃ及び６Ｃは、例示的な台形カット４１を例示する。台形カット４１は、反対の角度において金属箔テープ３４の幅を横切る２つのカットを導入する。２つのカットの先頭は、間隔によって分離される。カットの末端においては、間隔がより大きく、台形の外観を与える。金属箔テープ３４のオーバラップする領域は、２つのレーザカットの開始間隔及びレーザカットの角度に比例する、平行四辺形の形状にある。２つのレーザカットを組み込むことによって、追加の平行四辺形の形状が生じる。それらの２つのオーバラップする平行四辺形の形状は、キャパシタンスを２の倍数だけ減少させる正味の影響を有する、直列に接続された２つのキャパシタンスを生じさせる。いずれかの製造許容差は、２つの平行四辺形のエリア内で小さな変動をもたらすカットの平行四辺形の性質によって適合される。２つのオーバラップする領域は、カットの先頭における１０ミルの間隔、並びに＋２及び−２度のカット角について図６Ｃに例示される。
【００２０】
図５Ｄ及び６Ｄは、例示的な半角カット４２を例示する。半角カット４２は、通信ケーブル２２の方向に直交するストレートカットとして開始し、金属箔テープ３４にわたって中間のあたりで角のあるカットに遷移する単一のカットを導入する。金属箔テープ３４が縦方向に適用されるとき、金属箔テープ３４のオーバラップするエリアは、中間点においてレーザカットの角度に比例する多角形の形状にある。いずれかの製造許容差は、オーバラップするエリア内で小さな変動につながるこの角のあるカットによって適合される。図６Ｄに例示されるオーバラップする領域は、例えば、５度の角度に対するものであってもよい。
【００２１】
図５Ｅ及び６Ｅは、例示的なＹ型カット４３を例示する。Ｙ型カット４３は、通信ケーブル２２の方向に直交するストレートカットとして開始し、金属箔テープ３４にわたって適切な位置において反対の角度において分岐する単一のカットを導入する。カットの結果は、Ｙ型のようである。金属箔テープ３４が縦方向に適用されるとき、金属箔テープ３４のオーバラップするエリアは、Ｙ型カット４３の各々の分岐に沿った三角形の形状を生じさせる。オーバラップする三角形の形状のエリアは、Ｙの分岐の角度及びレーザカットが直線部分から分岐する位置に比例する。それらの三角形のオーバラップする形状は、キャパシタンスを２の倍数だけ減少させる正味の影響を有する、直列に接続された２つのキャパシタンスを生じさせる。いずれかの製造許容差は、オーバラップするエリア内で小さな変動につながる分岐するレーザカットの角度によって適合される。図６Ｅに例示されるオーバラップする領域は、例えば、４度の角度に対するものであってもよい。
【００２２】
図５Ｆ及び６Ｆは、例示的なＸ型カット４４を例示する。Ｘ型カット４４は、金属箔テープ３４の中心において交差する２つの角のあるカットを導入する。結果は、金属箔テープ３４上のＸ型パターンである。金属箔テープ３４が縦方向に適用されるとき、金属箔テープ３４のオーバラップするエリアは、４つのオーバラップする三角形のエリアの合計に対しカットの角度に比例する三角形の形状の２つのペアを生じさせる。三角形の各々のペアは、単一のオーバラップする三角形のキャパシタンスを二倍にする正味の影響を有する、並列して接続された２つのキャパシタンスを生じさせる。三角形の形状の１つのペアからの正味キャパシタンスは、キャパシタンス全体を２の倍数だけ減少させる正味の影響を有する、三角形の形状の第２のペアからの正味キャパシタンスと直列する。４つのオーバラップするキャパシタンスの直列及び並列配置を仮定して、オーバラップする金属箔テープ３４の結果は、単一の三角形の形状のエリアに比例する。いずれかの製造許容差は、オーバラップするエリア内で小さな変動につながるカットの角度によって適合される。図６Ｆに例示されるオーバラップする領域は、例えば、５度の角度に対するものであってもよい。
【００２３】
図５Ｇ及び６Ｇは、例示的な山型カット４５を例示する。山型カット４５は、４５度の角度において開始し、金属箔テープ３４の中心の近くで−４５度の角度に切り替わる単一のカットを導入する。結果は、金属箔テープ３４上の逆さまのＶ型カットパターンである。金属箔テープ３４が縦方向に適用されるとき、金属箔テープのオーバラップするエリアは、三角形の形状のペアを生じさせる。三角形のペアは、単一のオーバラップする三角形のキャパシタンスを二倍にする正味の影響を有する、並列して接続された２つのキャパシタンスを生じさせる。いずれかの製造許容差は、オーバラップするエリア内で小さな変動につながる４５度の角度のカットによって適合される。
【００２４】
図５Ｈ及び６Ｈは、例示的な浅い山型カット４６を例示する。浅い山型カット４６は、図５Ｇ及び６Ｇに例示された山型カット４５の変形であってもよく、それによって、角度は、４５度からより浅い角度に変更される。結果は、金属箔テープ３４上のより広いＶ型カットパターンである。金属箔テープ３４が縦方向に適用されるとき、金属箔テープ３４のオーバラップするエリアは、三角形の形状のペアを生じさせる。三角形のオーバラップするエリアは、カットの浅い角度に起因して、山型カット４５に対して更に小さい。三角形のペアは、単一のオーバラップする三角形のキャパシタンスを二倍にする正味の影響を有する、並列して接続された２つのキャパシタンスを生じさせる。いずれかの製造許容差は、オーバラップするエリア内で小さな変動につながるカットの角度によって適合される。図６Ｈに例示されるオーバラップする領域は、例えば、５度の角度に対するものであってもよい。
【００２５】
図５Ａ〜５Ｈ及び６Ａ〜６Ｈに例示されるカットの異なる実装態様の各々について、オーバラップする領域及び金属箔テープのオーバラップする金属層の間の誘電材料のエリアに基づいて、金属箔テープの隣接する非連続セグメントの間の結果として生じるキャパシタンスの一次計算が算出されることができる。図７は、レーザカットのスタイルごとのオーバラップキャパシタンスを例示する。カットごとの図７に例示されるキャパシタンスは、７５０ミル及び８７５ミルの例示的な金属箔テープ幅を使用して算出されてもよい。金属箔テープが囲んでいる通信ケーブルのコア径は、例えば、２００ミルであってもよい。誘電材料は、例えば、２ミルのＭｙｌａｒ材料であってもよい。この実施例についてのターゲットオーバラップキャパシタンスは、４ピコファラッド未満であってもよい。
【００２６】
図７に示されるように、いくつかのカットの幾何学形状は、４ピコファラッド未満のオーバラップキャパシタンスのターゲット目標を満たす。それらのカットの幾何学形状の各々についての金属箔テープを製造する効果も考慮される。半角カット４２、ストレートカット３９、及び浅い山型カット４６などの単一のカットを実装する幾何学形状は、それらができるだけ少ないレーザを使用し、レーザカッティングマシンにおいて実装するのに単純であることを理由に、高速な加工時間を可能にする。Ｙ型カット４３は、金属箔テープの幅に対する最小の感度を示す。
【００２７】
レーザ工程及び金属箔テープの適用工程と関連付けられた許容差は、レーザカット角における変化としてモデル化されることができ、レーザカット角における変化は次いで、オーバラップする金属箔テープ幾何学形状のエリアを変える。図８は、オーバラップキャパシタンスが所与のカットの幾何学形状についてのカット角及び２００ミルのケーブルコア径を変更するのにどのように感度があるかを示す。
【００２８】
オーバラップキャパシタンスに対する直接の効果を有することができる製造工程における別の変形は、通信ケーブルのコアサイズである。公称寸法よりも少ないコアサイズについて、金属箔テープは更に、コアの周りを覆い、オーバラップキャパシタンスにおける増大を生じさせる。図９は、１９０ミルのケーブルコア径についてのカット角における変化へのオーバラップキャパシタンスの同一の感度を示す。
【００２９】
いくつかのケーブル設計では、金属箔テープは、ジャケッティング工程の前に適用されてもよい（例：ケーブルストランディング工程の間）。ストランディングとしてのそのような例では、金属箔テープは、ケーブルの周りで螺旋状に適用されてもよい。隣接する非連続セグメントの間のオーバラップキャパシタンスを最小化する同一の基本的な原理は、それらの例に適用されるが、カットの最適な幾何学形状は、ジャケッティング工程において縦方向に適用される金属箔テープと比較して異なってもよい。
【００３０】
本開示は、いくつかの実施形態を含むが、それらの実施形態は、非限定的であり（例示的であり、または例示的でないとラベル付けされているかどうかに関わらず）、本発明の範囲内にある、変更、置換、及び同等物が存在することに留意されたい。加えて、説明される実施形態は、相互に排他的であると見なされるべきではなく、代わりに、そのような組み合わせが許される場合、潜在的に組み合わせ可能であると理解されるべきである。また、本開示の実施形態を実装する多くの代替的な方式が存在することに留意するべきである。したがって、以下に続くことができる特許請求の範囲は、本開示の真の精神及び範囲内にあるように、全てのそのような変更、置換、及び同等物を含むと見なされることを意図している。
【符号の説明】
【００３１】
２０  通信システム
２２  通信ケーブル
２３  ケーブルコア
２４  機器
２５  プラグ
２６  ツイスト導線ペア
２７  ジャックモジュール
２８  ペアセパレータ
３２  境界テープ
３３  ケーブルジャケット
３４  金属箔テープ
３５  金属層
３６  ポリマ薄膜支持層
３７  非連続部、金属箔テープ
３８  非連続セグメント
３９  ストレートカット
４０  二重カット
４１  台形カット
４２  半角カット
４３  Ｙ型カット
４４  Ｘ型カット
４５  山型カット
４６  山型カット
【図１】
2020525971.tif 000003
【図２】
2020525971.tif 000004
【図３】
2020525971.tif 000005
【図４】
2020525971.tif 000006
【図５Ａ】
2020525971.tif 000007
【図５Ｂ】
2020525971.tif 000008
【図５Ｃ】
2020525971.tif 000009
【図５Ｄ】
2020525971.tif 000010
【図５Ｅ】
2020525971.tif 000011
【図５Ｆ】
2020525971.tif 000012
【図５Ｇ】
2020525971.tif 000013
【図５Ｈ】
2020525971.tif 000014
【図６Ａ】
2020525971.tif 000015
【図６Ｂ】
2020525971.tif 000016
【図６Ｃ】
2020525971.tif 000017
【図６Ｄ】
2020525971.tif 000018
【図６Ｅ】
2020525971.tif 000019
【図６Ｆ】
2020525971.tif 000020
【図６Ｇ】
2020525971.tif 000021
【図６Ｈ】
2020525971.tif 000022
【図７】
2020525971.tif 000023
【図８】
2020525971.tif 000024
【図９】
2020525971.tif 000025
【国際調査報告】
2020525971.tif 000026
2020525971.tif 000027